(57)【特許請求の範囲】
【請求項１】
配信システムと、移動体通信網による移動体通信機能を有する端末と、を含む配信情報送受信システムであって、
前記配信システムは、
前記端末に配信されると共に位置を示す情報が含まれる配信情報を取得する配信情報取得手段と、
前記移動体通信網における所定のエリアに在圏している端末の数を示す在圏数情報を取得する在圏数情報取得手段と、
前記配信情報取得手段によって取得された配信情報、及び前記在圏数情報取得手段によって取得された在圏数情報を対応付けて、移動体通信網を介してブロードキャストによって端末に送信する送信手段と、を備え、
前記端末は、
自端末の位置を示す位置情報を取得する位置情報取得手段と、
互いに対応付けられて、前記配信システムからブロードキャストによって送信される配信情報及び在圏数情報を受信する受信手段と、
前記受信手段によって受信された配信情報に含まれる情報によって示される位置と前記位置情報取得手段によって取得された位置情報によって示される位置との位置関係、及び前記受信手段によって受信された在圏数情報に基づいて、当該配信情報を出力するか否かを決定する出力決定手段と、
前記出力決定手段によって出力すると決定された配信情報を出力する出力手段と、を備える配信情報送受信システム。
【請求項２】
前記端末は、自端末のユーザの属性を示す属性情報を取得する属性情報取得手段を、更に備え、
前記出力決定手段は、前記属性情報取得手段によって取得された属性情報にも基づいて、配信情報を出力するか否かを決定する、請求項１に記載の配信情報送受信システム。
【請求項３】
配信システムと、移動体通信網による移動体通信機能を有する端末と、を含む配信情報送受信システムに含まれる配信システムであって、
前記端末に配信されると共に位置を示す情報が含まれる配信情報を取得する配信情報取得手段と、
前記移動体通信網における所定のエリアに在圏している端末の数を示す在圏数情報を取得する在圏数情報取得手段と、
前記配信情報取得手段によって取得された配信情報、及び前記在圏数情報取得手段によって取得された在圏数情報を対応付けて、移動体通信網を介してブロードキャストによって端末に送信する送信手段と、
を備える配信システム。
【請求項４】
配信システムと、移動体通信網による移動体通信機能を有する端末と、を含む配信情報送受信システムに含まれる端末であって、
自端末の位置を示す位置情報を取得する位置情報取得手段と、
互いに対応付けられて、前記配信システムからブロードキャストによって送信される配信情報及び在圏数情報を受信する受信手段と、
前記受信手段によって受信された配信情報に含まれる情報によって示される位置と前記位置情報取得手段によって取得された位置情報によって示される位置との位置関係、及び前記受信手段によって受信された在圏数情報に基づいて、当該配信情報を出力するか否かを決定する出力決定手段と、
前記出力決定手段によって出力すると決定された配信情報を出力する出力手段と、
を備える端末。
【請求項５】
配信システムと、移動体通信網による移動体通信機能を有する端末と、を含む配信情報送受信システムの動作方法である配信情報送受信方法であって、
前記端末に配信されると共に位置を示す情報が含まれる配信情報を取得する配信情報取得ステップと、
前記移動体通信網における所定のエリアに在圏している端末の数を示す在圏数情報を取得する在圏数情報取得ステップと、
前記配信情報取得ステップにおいて取得された配信情報、及び前記在圏数情報取得ステップにおいて取得された在圏数情報を対応付けて、移動体通信網を介してブロードキャストによって端末に送信する送信ステップと、
互いに対応付けられて、前記配信システムからブロードキャストによって送信される配信情報及び在圏数情報を受信する受信ステップと、
自端末の位置を示す位置情報を取得する位置情報取得ステップと、
前記受信ステップにおいて受信された配信情報に含まれる情報によって示される位置と前記位置情報取得ステップにおいて取得された位置情報によって示される位置との位置関係、及び前記受信ステップにおいて受信された在圏数情報に基づいて、当該配信情報を出力するか否かを決定する出力決定ステップと、
前記出力決定ステップにおいて出力すると決定された配信情報を出力する出力ステップと、を含む配信情報送受信方法。
【発明の詳細な説明】
【技術分野】
【０００１】
本発明は、配信情報の配信に係る配信情報送受信システム、配信システム、端末及び配信情報送受信方法に関する。
【背景技術】
【０００２】
従来から、地震速報や各種警報等の災害発生に係る配信情報が端末に配信されることが行われている。下記の特許文献１では、このような情報のユーザに対しての出力を適切に行うため、端末の位置を示す位置情報を用いることが提案されている。特許文献１には、以下のシステムが記載されている。
【０００３】
このシステムでは、放送局が、複数の災害情報を位置情報（具体的には、緯度及び経度）と共に多重化してデータ放送として配信する。受信端末が、そのデータ放送を受信して、個々の災害情報に分離する。また、受信端末は、ＧＰＳ等によって位置情報を取得し、分離された災害情報についての位置情報と取得した位置情報とに基づいて、災害情報の抽出を行って蓄積して表示する。例えば、災害情報の位置情報が、ＧＰＳ等によって取得された位置情報から所定の範囲内の位置情報に対応する災害情報を抽出する。これにより、放送局が一方的に送ってくる災害情報に対して、当該受信端末の位置情報に基づき自動選択を行って蓄積して表示するので、ユーザが参照する災害情報を当該ユーザが必要である可能性が高いものとすることができるとされている。
【先行技術文献】
【特許文献】
【０００４】
【特許文献１】特開２００８−２３４３６８号公報
【発明の概要】
【発明が解決しようとする課題】
【０００５】
しかしながら、特許文献１に記載されたように、単に配信される情報に係る位置と端末の位置との関係のみに基づいて情報を出力する方法では、必ずしも適切ではない情報が出力されてしまう場合がある。例えば、災害発生に係る情報として避難場所の情報を配信し、避難場所の位置に基づいて情報を出力する場合である。この場合において、単に端末、即ち、ユーザの位置と近い避難場所の情報を出力することとすると、収容人数が十分でない避難場所の情報が多数のユーザの端末で出力されるおそれがある。この場合、当該避難場所に、収容人数を超えた避難者であるユーザが避難するという事態となってしまう。
【０００６】
本発明は、上記の問題点に鑑みてなされたものであり、適切な配信情報を出力することができる配信情報送受信システム、配信システム、端末及び配信情報送受信方法を提供することを目的とする。
【課題を解決するための手段】
【０００７】
上記の目的を達成するために、本発明に係る配信情報送受信システムは、配信システムと、移動体通信網による移動体通信機能を有する端末と、を含む配信情報送受信システムであって、配信システムは、端末に配信されると共に位置を示す情報が含まれる配信情報を取得する配信情報取得手段と、移動体通信網における所定のエリアに在圏している端末の数を示す在圏数情報を取得する在圏数情報取得手段と、配信情報取得手段によって取得された配信情報、及び在圏数情報取得手段によって取得された在圏数情報を対応付けて、移動体通信網を介してブロードキャストによって端末に送信する送信手段と、を備え、端末は、自端末の位置を示す位置情報を取得する位置情報取得手段と、互いに対応付けられて、配信システムからブロードキャストによって送信される配信情報及び在圏数情報を受信する受信手段と、受信手段によって受信された配信情報に含まれる情報によって示される位置と位置情報取得手段によって取得された位置情報によって示される位置との位置関係、及び受信手段によって受信された在圏数情報に基づいて、当該配信情報を出力するか否かを決定する出力決定手段と、出力決定手段によって出力すると決定された配信情報を出力する出力手段と、を備える。
【０００８】
本発明に係る配信情報送受信システムでは、配信情報に含まれる情報によって示される位置と端末の位置との位置関係に加えて、移動体通信網における所定のエリアに在圏している端末の数を示す在圏数情報に基づいて、端末において配信情報が出力されるか否かが判断される。所定のエリアに在圏している端末の数は、通常、そのエリアに位置している人の数に応じたものである。従って、本発明に係る配信情報送受信システムでは、そのエリアに位置している人の数に応じた配信情報が出力される。これにより、例えば、収容人数が考慮された避難場所の情報を出力できる。即ち、本発明に係る配信システムによれば、適切な配信情報を出力することができる。
【０００９】
端末は、自端末のユーザの属性を示す属性情報を取得する属性情報取得手段を、更に備え、出力決定手段は、属性情報取得手段によって取得された属性情報にも基づいて、配信情報を出力するか否かを決定する、こととしてもよい。この構成によれば、ユーザの属性にも応じて配信情報が出力されるため、ユーザの属性にも応じた更に適切な配信情報を出力することができる。
【００１０】
上記の配信情報送受信システムに含まれる配信システム及び端末は、それら自体が新規な構成を有しており発明に相当する。即ち、本発明に係る配信システムは、配信システムと、移動体通信網による移動体通信機能を有する端末と、を含む配信情報送受信システムに含まれる配信システムであって、端末に配信されると共に位置を示す情報が含まれる配信情報を取得する配信情報取得手段と、移動体通信網における所定のエリアに在圏している端末の数を示す在圏数情報を取得する在圏数情報取得手段と、配信情報取得手段によって取得された配信情報、及び在圏数情報取得手段によって取得された在圏数情報を対応付けて、移動体通信網を介してブロードキャストによって端末に送信する送信手段と、を備える。
【００１１】
また、本発明に係る端末は、配信システムと、移動体通信網による移動体通信機能を有する端末と、を含む配信情報送受信システムに含まれる端末であって、自端末の位置を示す位置情報を取得する位置情報取得手段と、互いに対応付けられて、配信システムからブロードキャストによって送信される配信情報及び在圏数情報を受信する受信手段と、受信手段によって受信された配信情報に含まれる情報によって示される位置と位置情報取得手段によって取得された位置情報によって示される位置との位置関係、及び受信手段によって受信された在圏数情報に基づいて、当該配信情報を出力するか否かを決定する出力決定手段と、出力決定手段によって出力すると決定された配信情報を出力する出力手段と、を備える。
【００１２】
ところで、本発明は、上記のように配信情報送受信システムの発明として記述できる他に、以下のように配信情報送受信方法の発明としても記述することができる。これはカテゴリが異なるだけで、実質的に同一の発明であり、同様の作用及び効果を奏する。
【００１３】
即ち、本発明に係る配信情報送受信方法は、配信システムと、移動体通信網による移動体通信機能を有する端末と、を含む配信情報送受信システムの動作方法である配信情報送受信方法であって、端末に配信されると共に位置を示す情報が含まれる配信情報を取得する配信情報取得ステップと、移動体通信網における所定のエリアに在圏している端末の数を示す在圏数情報を取得する在圏数情報取得ステップと、配信情報取得ステップにおいて取得された配信情報、及び在圏数情報取得ステップにおいて取得された在圏数情報を対応付けて、移動体通信網を介してブロードキャストによって端末に送信する送信ステップと、互いに対応付けられて、配信システムからブロードキャストによって送信される配信情報及び在圏数情報を受信する受信ステップと、自端末の位置を示す位置情報を取得する位置情報取得ステップと、受信ステップにおいて受信された配信情報に含まれる情報によって示される位置と位置情報取得ステップにおいて取得された位置情報によって示される位置との位置関係、及び受信ステップにおいて受信された在圏数情報に基づいて、当該配信情報を出力するか否かを決定する出力決定ステップと、出力決定ステップにおいて出力すると決定された配信情報を出力する出力ステップと、を含む。
【発明の効果】
【００１４】
本発明では、エリアに位置している人の数に応じた配信情報が出力される。これにより、例えば、収容人数が考慮された避難場所の情報を出力できる。即ち、本発明によれば、適切な配信情報を出力することができる。
【図面の簡単な説明】
【００１５】
【図１】本発明の実施形態に係る配信情報送受信システムの構成を示す図である。
【図２】避難場所情報の例を示す表である。
【図３】出力候補となった避難場所情報の例を示す表である。
【図４】本発明の実施形態に係る配信情報送受信システムに含まれる端末のハードウェア構成を示す図である。
【図５】本発明の実施形態に係る配信情報送受信システムに含まれるｘＧＳＮ及びＲＮＣのハードウェア構成を示す図である。
【図６】本発明の実施形態に係る配信情報送受信システムで実行される処理（配信情報送受信方法、配信方法及び情報出力方法）を示すシーケンス図である。
【図７】本発明の実施形態に係る端末で実行される処理（情報出力方法）を示すフローチャートである。
【発明を実施するための形態】
【００１６】
以下、図面と共に本発明に係る配信情報送受信システム、配信システム、端末及び配信情報送受信方法の実施形態について詳細に説明する。なお、図面の説明においては同一要素には同一符号を付し、重複する説明を省略する。
【００１７】
図１に本実施形態に係る配信情報送受信システム１を示す。配信情報送受信システム１は、端末１０及び配信システム２０を含んで構成される。配信情報送受信システム１は、配信システム２０が端末１０に対して配信情報を配信して、端末１０が配信情報を受信して出力するシステムである。配信情報は、例えば、地震等の災害が発生した際の避難場所を示す避難場所情報である。また、避難場所情報以外の情報も、配信情報として配信される。配信情報の配信は、移動体通信網Ｎを介して行われる。配信情報の配信は、一斉に端末１０が受信できるように、移動体通信網Ｎに在圏している端末１０に対して同報配信（ブロードキャスト）によって行われる。移動体通信網Ｎは、端末１０に移動体通信の機能を提供する通信網である。
【００１８】
端末１０は、ユーザに用いられて、移動体通信網Ｎに無線通信によって接続して移動体通信を行う装置である。即ち、端末１０は、移動体通信網Ｎによる移動体通信機能を有する。具体的には、端末１０は、携帯電話機等に相当する。端末１０は、移動体通信網Ｎを介して配信システム２０から配信情報を受信して出力する。例えば、端末１０は、配信情報を表示する。ユーザは、表示された配信情報を参照することで、配信情報の内容を把握する。例えば、配信情報が避難場所情報である場合には、ユーザはどの場所に避難すればよいか把握することができる。
【００１９】
配信システム２０は、端末１０に対して配信情報を配信するシステムである。配信システム２０は、ｘＧＳＮ（serving/gateway General packet radio service（GPRS） Support Node）３０及びＲＮＣ（無線ネットワーク制御装置、Radio Network Controller）４０を含んで構成されている。配信システム２０は、移動体通信網Ｎに含まれている。ｘＧＳＮ３０及びＲＮＣ４０は、後述する本実施形態に係る機能を備えている以外は、従来の移動体通信網に含まれるｘＧＳＮ及びＲＮＣとそれぞれ同様である。ｘＧＳＮ３０には、ＳＧＳＮ（Serving GPRS Support Node）が含まれる。移動体通信網Ｎには、通信エリア毎の複数のｘＧＳＮ３０が含まれる。また、ｘＧＳＮ３０は、ｘＧＳＮ３０の通信エリアが細分化された通信エリア毎の１つ以上のＲＮＣ４０に接続されている。ｘＧＳＮ３０は、予め、接続されているＲＮＣ４０のアドレスを記憶している。なお、個々のＲＮＣ４０の通信エリアには、通常、複数のセクタが含まれる。個々のセクタの領域には、複数の避難場所が含まれえる。端末１０は、当該端末１０の位置に応じたＲＮＣ４０及びｘＧＳＮ３０の配下に在圏して移動体通信を行う。ｘＧＳＮ３０は、配信情報である避難場所情報を取得し、取得した避難場所情報をＲＮＣ４０に出力する。ＲＮＣ４０は、避難場所情報を端末１０に送信する。
【００２０】
移動体通信網Ｎには、本実施形態に係る装置として、ＣＢＣ（Cell Broadcast Center）５０及び位置情報測位装置６０を含む。また、図示しないが、移動体通信網Ｎには、上記以外にも、従来の移動体通信網に含まれる装置（ノード）が含まれており、従来の移動体通信網と同様に機能する。例えば、ＲＮＣ４０の配下には、端末１０と無線信号の送受信を行う基地局が設けられている。また、ＣＢＣ５０には、ＣＢＥ（Cell Broadcast Entity）７０が情報の送受信が可能なように接続されている。
【００２１】
ＣＢＥ７０は、自治体又は気象庁等に配置されており、地震等の災害発生時、あるいは災害の発生が予測される時に、当該災害に関する情報である電文（例えば、緊急地震速報電文）をＣＢＣ５０に対して送信する装置である。ＣＢＥ７０は、従来のＣＢＥと同様の装置である。ＣＢＥ７０から送信される電文には、地域が設定されている。地域は、例えば、電文によって示される災害が発生した、あるいは災害の発生が予測される地域である。地域は、例えば、市区町村単位である。具体的には、電文には、当該電文を配信すべき地域を示す情報（例えば、都道府県内における配信すべき地域を特定する都道府県内地域コード）が対応付けられている。
【００２２】
ＣＢＣ５０は、ＣＢＥ７０から災害に係る電文を受信して、当該電文を配信情報として、送信する装置である。ＣＢＣ５０は、電文に対応付けられる地域を示す情報から当該地域に配信情報を配信できるｘＧＳＮ３０を特定する情報を、予め記憶している。ＣＢＣ５０は、予め記憶した当該情報に基づいて、ＣＢＥ７０から受信した電文に対応付けられた地域を示す情報から、ｘＧＳＮ３０を特定して、特定したｘＧＳＮ３０に対して配信情報を送信する。ＣＢＣ５０は、従来のＣＢＥと同様の装置である。
【００２３】
位置情報測位装置６０は、端末１０からの測位要求に応じて、端末１０の測位を行う装置である。例えば、位置情報測位装置６０は、端末１０からの測位要求を受け付けると、端末１０の位置である緯度及び経度を特定して、当該緯度及び経度を示す情報を端末１０に送信する。位置情報測位装置６０は、具体的には、ＡＬＳ（Adjacency-based Location System）である。
【００２４】
引き続いて、本実施形態に係る機能について説明する。ｘＧＳＮ３０は、配信情報取得部３１を備えて構成される。なお、ｘＧＳＮ３０は、上記の機能部以外にも、従来のｘＧＳＮが備える機能も備えている。
【００２５】
配信情報取得部３１は、端末１０に配信されると共に位置を示す情報が含まれる配信情報を取得する配信情報取得手段である。配信情報取得部３１は、予め、複数の避難場所情報を記憶しておき、記憶した避難場所情報を配信情報として取得する。１つの避難場所情報は、１つの避難場所を示す情報である。なお、避難場所情報は、移動体通信網Ｎの通信事業者等によって、予めｘＧＳＮ３０に入力されている。配信情報取得部３１は、ｘＧＳＮ３０から情報を送信することができる通信エリア（配信エリア）に含まれる全ての避難場所についての避難場所情報を予め記憶しており、取得する。
【００２６】
避難場所情報は、例えば、図２の表に示す情報である。図２の表における、１つの行が、１つの避難場所情報に相当する。図２の表に示すように、避難場所情報は、避難場所、位置、収容人数、備考、男女別及び年齢の各情報が対応付けられたものである。避難場所は、避難場所情報に係る避難場所の名称を示す情報である。位置は、避難場所情報に係る避難場所の位置を示す情報である。位置は、例えば、避難場所の緯度及び経度を示す情報である。また、位置の情報として、緯度及び経度を示す情報に加えて、例えば、「横浜市神奈川区ｘｘｘ」といった当該避難場所の地番の情報が含まれていてもよい。収容人数は、避難場所の収容可能な人数である。備考は、避難場所についてユーザが知っておくことが望ましい情報である。男女別は、避難場所に収容可能な避難者の男女の別を示す情報である。年齢は、避難場所に収容可能な避難者の年齢を示す情報であり、年齢の範囲で示される。なお、本実施形態においては、備考、男女別及び年齢の各情報は、必ずしも必要ないものである。但し、男女別及び年齢の各情報は、後述する変形例で必要となる。
【００２７】
配信情報取得部３１は、ＣＢＣ５０から自装置３０に送信された災害に係る配信情報を受信する。配信情報取得部３１は、ＣＢＣ５０から配信情報を受信したら、記憶した避難場所情報を全て取得する。配信情報取得部３１は、取得した避難場所情報をＣＢＣ５０から受信した配信情報に付加して、自装置３０に接続された全てのＲＮＣ４０（自装置３０配下の全てのＲＮＣ４０）に送信する。なお、配信情報取得部３１は、取得した避難場所情報を、ＣＢＣ５０から受信した配信情報とは別に配信情報としてＲＮＣ４０に送信することとしてもよい。また、配信情報取得部３１は、避難場所情報を含む配信情報には、避難場所情報が含まれる旨の情報を更に付加することとしてもよい。以上が、ｘＧＳＮ３０の機能構成である。
【００２８】
ＲＮＣ４０は、在圏数情報取得部４１と、送信部４２とを備えて構成される。なお、ＲＮＣ４０は、上記の機能部以外にも、従来のＲＮＣが備える機能も備えている。
【００２９】
在圏数情報取得部４１は、移動体通信網Ｎにおける所定のエリアに在圏している端末１０の数である在圏ユーザ数を示す在圏数情報を取得する在圏数情報取得手段である。ＲＮＣ４０は、通常、自装置４０の配下（自装置４０の通信エリア）の在圏ユーザ数を把握している。在圏数情報取得部４１は、ｘＧＳＮ３０から自装置４０に送信された避難場所情報を含む配信情報を受信する。在圏数情報取得部４１は、避難場所情報を含む配信情報を受信したら、その時点で自装置４０の配下（自装置４０の通信エリア）の在圏ユーザ数を検出して、当該在圏ユーザ数を示す在圏数情報を取得する。即ち、上記の所定のエリアは、ＲＮＣ４０の通信エリアである。在圏数情報取得部４１は、在圏数情報を取得したら、受信した配信情報及び取得した在圏数情報を送信部４２に出力する。
【００３０】
送信部４２は、在圏数情報取得部４１から配信情報及び在圏数情報を入力し、それらの情報を対応付けて、移動体通信網Ｎを介して端末１０に送信する送信手段である。送信部４２は、自装置４０の配下の全ての基地局から同報配信（ブロードキャスト）によって当該情報を送信する。当該情報は、例えば、テキスト形式で送信される。これは、自装置４０の配下に在圏している全ての端末１０が配信情報を受信できるようにするためである。なお、上記の通り、ｘＧＳＮ３０は、配下のＲＮＣ４０全てに同じ配信情報を送信しているので、ｘＧＳＮ３０の配下の通信エリアを構成する地域に位置する端末１０は、同一の配信情報を受信する。以上が、ＲＮＣ４０の機能構成である。
【００３１】
端末１０は、位置情報取得部１１と、受信部１２と、出力決定部１３と、出力部１４とを備えて構成される。端末１０は、上記の機能部以外にも、例えば、従来の携帯電話機が備える機能も備えていてもよい。
【００３２】
位置情報取得部１１は、自端末１０の位置を示す位置情報を取得する位置情報取得手段である。例えば、位置情報取得部１１は、移動体通信網Ｎを介して、位置情報測位装置６０に対して自端末１０の測位要求を行う。位置情報取得部１１は、当該測位要求に応じて位置情報測位装置６０による測位結果である自端末１０の位置である緯度及び経度を示す情報を受信する。位置情報取得部１１は、取得した自端末１０の位置を示す位置情報を、取得した時刻と共に測位履歴として記憶しておく。
【００３３】
位置情報取得部１１は、出力決定部１３からの位置情報の要求を受け付けて、位置情報を出力決定部１３に出力する。位置情報取得部１１は、当該要求があったら、その時点で記憶している最新（直近）の位置情報に係る時刻からの経過時間が、予め指定された時間以内であるか否かを判断する。位置情報取得部１１は、当該経過時間が予め指定された時間以内であると判断すれば、当該最新の位置情報を出力決定部１３に出力する。一方、位置情報取得部１１は、当該経過時間が予め指定された時間以内ではないと判断すれば、新たに自端末１０の位置情報を取得して、取得した位置情報を出力決定部１３に出力する。予め指定された時間は、例えば、位置情報によって示される位置からユーザが大きく移動できない程度の時間とされる。但し、位置情報取得部１１は、出力決定部１３からの位置情報の要求があった場合に、一律に新たに自端末１０の位置情報を取得することとしてもよい。
【００３４】
なお、位置情報取得部１１による位置情報の取得は、必ずしも位置情報測位装置６０によるものではなくてもよく、その他の方法によって行われてもよい。例えば、端末１０内部で位置情報の取得（測位）を行うものであってもよい。具体的には、ＧＰＳ（グローバルポジショニングシステム）によって、自端末１０の位置情報を取得してもよい。その場合、位置情報取得部１１は、ＧＰＳ用の信号を受信する機能と、受信されたＧＰＳ用の信号に基づき測位演算を行う機能とを有している。また、位置情報取得部１１による位置情報の取得は、出力決定部１３からの要求以外をトリガとして行われてもよい。即ち、位置情報取得部１１による位置情報の取得は、本実施形態の機能以外の端末１０の位置情報を用いる任意の機能によって行われてもよい。
【００３５】
受信部１２は、互いに対応付けられて、移動体通信網Ｎから送信される（同報配信される）避難場所情報及び在圏数情報を受信する受信手段である。受信部１２は、受信した情報を出力決定部１３に出力する。
【００３６】
出力決定部１３は、受信部１２によって受信された避難場所情報を出力するか否かを決定する出力決定手段である。出力決定部１３は、避難場所情報に含まれる情報によって示される避難場所の位置と自端末１０の位置との位置関係、及び受信部１２によって受信された在圏数情報に基づいて上記の決定を行う。具体的には、出力決定部１３は、以下のように上記の決定を行う。
【００３７】
出力決定部１３は、同報配信されて受信部１２によって受信された情報が、避難場所情報を含むか否かを判断する。この判断は、例えば、配信情報に（ｘＧＳＮ３０によって含められる）避難場所情報が含まれる旨の情報が含まれているか否かを判断することで行われる。出力決定部１３は、受信部１２によって受信された情報が避難場所情報を含まないと判断した場合、本実施形態に係る処理は行わず、受信した情報に応じた処理を行う。
【００３８】
出力決定部１３は、受信部１２によって受信された情報が避難場所情報を含むと判断した場合、位置情報取得部１１に対して自端末１０の位置情報を要求し、位置情報取得部１１から当該位置情報を入力する。出力決定部１３は、避難場所情報毎に、入力した位置情報によって示される自端末１０の位置から、避難場所情報に含まれる情報によって示される避難場所の位置まで徒歩で行ったときの所要時間を算出する。この所要時間の算出は、例えば、それらの位置を含む地図データに基づき、従来のナビゲーションソフトウェアの機能によって行うことができる。
【００３９】
出力決定部１３は、算出した徒歩での所要時間から、避難場所情報のうち出力候補とするものを選択（決定）する。例えば、この所要時間が、予め設定した閾値以下である避難場所情報を出力候補とする。この閾値は、例えば、ユーザが無理なく避難できる程度の値とする。図３に示すように、例えば、３つの避難場所情報が出力候補とされる。なお、図３では、所要時間が小さい順番に避難場所情報を並べている（図３の所要時間の欄参照）。
【００４０】
出力決定部１３は、所要時間が小さい順番に、出力候補とした避難場所情報に含まれる情報によって示される収容人数と在圏数情報によって示される在圏ユーザ数とを比較する。出力決定部１３は、当該比較によって最初に、収容人数が端末１０の数以上となった避難場所情報を出力する避難場所情報と決定する。即ち、端末１０の数以上のキャパシティを有する避難場所についての避難場所情報を、出力する情報と決定する。
【００４１】
例えば、出力候補とした避難場所情報が図３に示すものであり、在圏ユーザ数が５万であった場合、所要時間が最も短い「避難場所６」は、収容人数が１万人であり、５万よりも小さいため、出力する情報とはされない。次に所要時間が短い「避難場所７」は、収容人数が６万人であり、５万よりも大きいため、最適な避難場所に係る避難場所情報として出力する情報と決定される（図３の出力判断の欄参照）。
【００４２】
出力決定部１３は、出力すると決定した避難場所情報を出力部１４に出力する。なお、上述したように避難場所情報には、在圏ユーザ数と比較される数値である収容人数の情報が予め含まれている。また、出力候補の決定は、所要時間ではなく、例えば、自端末１０の位置から避難場所までの直線距離をそれらの位置から算出して、直線距離に基づいて行うこととしてもよい。直線距離を用いる場合も、当該直線距離が、予め設定した閾値以下であるものを出力候補とすればよい。
【００４３】
出力部１４は、出力決定部１３によって出力すると決定された避難場所情報（最適な避難場所情報）を出力する出力手段である。この出力は、例えば、端末１０が備えるディスプレイ等の表示装置に避難場所情報を表示することで行われる。また、端末１０の位置から避難場所までのルートを算出して、表示することとしてもよい。ルートの算出は、それらの位置を含む地図データに基づき、従来のナビゲーションソフトウェアの機能によって行うことができる。なお、出力は、必ずしも表示出力でなくてもよく、音声出力等のユーザが認識できる方法であれば任意の方法を採用することができる。以上が、端末１０の機能構成である。
【００４４】
図４に本実施形態に係る端末１０のハードウェア構成を示す。図４に示すように、端末１０は、ＣＰＵ（Central Processing Unit）１０１、主記憶装置であるＲＡＭ（RandomAccess Memory）１０２及びＲＯＭ（Read Only Memory）１０３、操作モジュール１０４、無線通信モジュール１０５、アンテナ１０６、ディスプレイ１０７等のハードウェアにより構成されている。これらの構成要素がプログラム等により動作することにより、上述した端末１０の機能が発揮される。
【００４５】
図５に本実施形態に係るｘＧＳＮ３０及びＲＮＣ４０のハードウェア構成を示す。図５に示すようにｘＧＳＮ３０及びＲＮＣ４０は、ＣＰＵ３０１、主記憶装置であるＲＡＭ３０２及びＲＯＭ３０３、通信を行うための通信モジュール３０４、並びにハードディスク等の補助記憶装置３０５等のハードウェアを備えるサーバ装置として構成される。これらの構成要素がプログラム等により動作することにより、上述したｘＧＳＮ３０及びＲＮＣ４０の機能が発揮される。以上が、本実施形態に係る配信情報送受信システム１、及び配信情報送受信システム１に含まれる端末１０及び配信システム２０の構成である。
【００４６】
引き続いて、図６のシーケンス図及び図７のフローチャートを用いて、配信情報送受信システム１で実行される処理（配信情報送受信システム１、配信システム２０及び端末１０それぞれの動作方法）である配信情報送受信方法、配信方法及び情報出力方法を説明する。まず、図６のシーケンス図を用いて、配信情報送受信システム１での処理全体を説明し、続いて、図７のフローチャートを用いて、端末１０での処理を説明する。
【００４７】
本処理では、まず、ＣＢＥ７０からＣＢＣ５０に対して、災害に関する電文である緊急地震速報電文が送信される（Ｓ０１）。当該電文は、ＣＢＣ５０によって受信されて、ＣＢＣ５０からＣＢＥ７０に対して、当該電文が受け付けられた旨の受付応答が送信される（Ｓ０２）。また、当該電文が配信情報として、ＣＢＣ５０からｘＧＳＮ３０に送信される（Ｓ０３）。ｘＧＳＮ３０では、配信情報取得部３１によって、災害に係る配信情報が受信される。続いて、配信情報取得部３１によって、避難場所情報が取得される（Ｓ０４、配信情報取得ステップ）。続いて、配信情報取得部３１によって、取得した避難場所情報がＣＢＣ５０から受信した配信情報に付加されて、自装置３０に接続された全てのＲＮＣ４０に送信される（Ｓ０５）。
【００４８】
ｘＧＳＮ３０からＲＮＣ４０に送信された配信情報は、在圏数情報取得部４１によって受信される。続いて、在圏数情報取得部４１によって在圏数情報が取得される（Ｓ０６、在圏数情報取得ステップ）。受信された配信情報及び取得された在圏数情報は、在圏数情報取得部４１から送信部４２に出力される。続いて、送信部４２によって、配信情報及び在圏数情報が対応付けられて、移動体通信網Ｎを介して端末１０に送信される（Ｓ０７、送信ステップ）。
【００４９】
続いて、ＲＮＣ４０の配下に在圏している端末１０では、受信部１２によって、ＲＮＣ４０から送信された配信情報が受信される。受信された配信情報は、受信部１２から出力決定部１３に出力される。ＲＮＣ４０では、配信情報が送信されると、送信部４２によって、配信情報の送信が完了した旨を示す配信完了報告がｘＧＳＮ３０に対して送信される（Ｓ０８）。配信完了報告は、ｘＧＳＮ３０及びＣＢＣ５０を介して、ＣＢＥに送信される（Ｓ０９，Ｓ１０）。
【００５０】
一方、端末１０では、位置情報取得部１１によって、位置情報測位装置６０に対して自端末１０の測位要求が行われる（Ｓ１１、位置情報取得ステップ）。位置情報測位装置６０では、当該測位要求が受信されて、端末１０の測位が行われる（Ｓ１２）。測位結果である端末１０の位置情報は、位置情報測位装置６０から端末１０に送信される。端末１０では、位置情報取得部１１によって、位置情報が受信される（Ｓ１３、位置情報取得ステップ）。受信された位置情報は、位置情報取得部１１から出力決定部１３に出力される。続いて、出力決定部１３によって、受信部１２によって受信された配信情報に含まれる避難場所情報のうち何れの避難場所情報を出力するかが決定される（Ｓ１４、出力決定ステップ）。出力すると決定された避難場所情報は、出力決定部１３から出力部１４に出力される。続いて、出力部１４によって、入力された避難場所情報の表示等の出力が行われる（Ｓ１５、出力ステップ）。以上が、配信情報送受信システム１での処理全体である。
【００５１】
引き続いて、図７のフローチャートを用いて、端末１０での処理を詳細に説明する。端末１０では、受信部１２によって、ＲＮＣ４０から送信された配信情報が受信される（Ｓ２１、受信ステップ）。受信された配信情報は、受信部１２から出力決定部１３に出力される。また、配信情報が受信されると、受信部１２からＲＮＣ４０に対してその応答が送信される。続いて、出力決定部１３によって、受信部１２によって受信された配信情報が避難場所情報を含むか否か（配信情報が避難場所情報であるか否か）が判断される（Ｓ２２）。配信情報が避難場所情報を含まないと判断された場合（Ｓ２２のＮＯ）、本実施形態に係る処理は行わず、受信した情報に応じた処理が行われる。
【００５２】
配信情報が避難場所情報を含むと判断された場合（Ｓ２２のＹＥＳ）、出力決定部１３から位置情報取得部１１に対して自端末１０の位置情報が要求される。要求が受け付けられた位置情報取得部１１では、予め指定された時間以内の測位履歴が記憶されているか判断される（Ｓ２３）。そのような測位履歴が記憶されていた場合（Ｓ２３のＹＥＳ）、当該測位履歴の位置情報が、位置情報取得部１１から出力決定部１３に出力される。そのような測位履歴が記憶されてなかった場合（Ｓ２３のＮＯ）、位置情報取得部１１によって、新たに自端末１０の位置情報が取得されて、取得された位置情報が出力決定部１３に出力される（Ｓ２４）。
【００５３】
続いて、位置情報が入力された出力決定部１３によって、避難場所情報毎に、位置情報によって示される自端末１０の位置から、避難場所情報に含まれる情報によって示される避難場所の位置まで徒歩で行ったときの所要時間が算出される。続いて、出力決定部１３によって、算出された徒歩での所要時間から、避難場所情報のうち出力候補とするものが選択される（Ｓ２５、出力決定ステップ）。
【００５４】
続いて、出力決定部１３によって、受信部１２によって受信された在圏数情報に基づいて、出力候補とした避難場所情報から、出力する避難場所情報が決定される（Ｓ２６、出力決定ステップ）。出力すると決定された避難場所情報が、出力決定部１３から出力部１４に出力される。
【００５５】
続いて、出力部１４によって、入力された避難場所情報の表示等の出力が行われる（Ｓ２７、出力ステップ）。また、避難場所情報自体の出力と併せて、出力部１４によって、自端末１０の位置から避難場所までのルートが算出されて、当該ルートの出力も行われる（Ｓ２８、出力ステップ）。端末１０のユーザは、当該出力を参照することで、災害時にどの避難場所に避難すればよいか知ることができる。以上が、端末１０での処理である。
【００５６】
上述したように、本実施形態では、避難場所情報に含まれる情報によって示される避難場所の位置と端末１０の位置との位置関係に加えて、移動体通信網ＮにおけるＲＮＣ４０の通信エリアの在圏ユーザ数を示す在圏数情報に基づいて、端末１０において避難場所情報が出力されるか否かが判断される。在圏ユーザ数は、通常、そのエリアに位置している人の数に応じたものである。従って、本実施形態では、そのエリアに位置している人の数に応じた配信情報が端末１０において出力される。
【００５７】
これにより、収容人数が考慮された避難場所の情報を出力できる。例えば、収容人数が少ない避難場所の情報が、多くの端末で表示されて、当該避難場所に収容人数を超える避難者が避難するという事態を避けることができる。また、これによりユーザに安心、安全を与えることが可能になる。即ち、本実施形態によれば、適切な配信情報を出力することができる。なお、特許文献１に記載されたシステムは、放送局からのデータ放送により情報を配信するものであるため、本実施形態のように在圏ユーザ数を把握することができず、本実施形態のような配信情報の出力の決定を行うことはできない。
【００５８】
引き続いて、本実施形態の変形例を説明する。本変形例では、避難場所情報の出力の判断に、端末１０のユーザの属性が用いられる。そのために、端末１０は、属性情報取得部を更に備える。属性情報取得部は、自端末１０のユーザの属性を示す属性情報を取得する属性情報取得手段である。ユーザの属性としては、ユーザの性別やユーザの年齢である。属性情報取得部は、例えば、予め端末１０に記憶された属性情報を読み出すことで取得する。あるいは、属性情報取得部は、避難場所情報の出力の判断が行われる際に、ユーザからの属性情報の入力操作を受け付けることで属性情報を取得してもよい。属性情報取得部は、入力した属性情報を出力決定部１３に出力する。
【００５９】
出力決定部１３は、属性情報にも基づいて、避難場所情報を出力するか否かを決定する。出力決定部１３は、上述した実施形態での判断に加えて、属性情報によって示される属性が、避難場所情報に含まれる条件を満たすか否かを判断する。避難場所情報に含まれる条件とは、例えば、図２に示す避難場所情報に含まれる男女別及び年齢の情報である。出力決定部１３は、出力候補として選択された避難場所情報のうち、最初に収容人数が端末１０の数以上となり、かつ属性情報によって示される属性全てが避難場所情報に含まれる条件を満たす避難場所情報を出力する避難場所情報と決定する。
【００６０】
例えば、出力候補とした避難場所情報が図３に示すものであり、在圏ユーザ数が５万であり、かつユーザの属性が６５歳の女性であった場合、上述した実施形態で出力する情報とされた「避難場所７」の避難場所情報は、年齢の条件を満たさないため、出力する情報とはされない。その次の「避難場所５」の避難場所情報は、在圏ユーザ数及び全ての属性の条件を満たすため、出力する情報と決定される。
【００６１】
このようにユーザの属性に基づいて、避難場所情報を出力することとすれば、更に適切な配信情報を出力することができる。
【００６２】
なお、本実施形態では、出力が判断される配信情報は、避難場所情報であることとしたが、位置が対応付けられ、またエリアの人数に応じて出力すべき情報であれば任意の配信情報を出力が判断される情報としてもよい。また、本実施形態に係る配信システム２０の機能配備は、必ずしも本実施形態のようにｘＧＳＮ３０及びＲＮＣ４０に行われる必要はなく、任意の構成を取ることができる。
【符号の説明】
【００６３】
１…配信情報送受信システム、１０…端末、１１…位置情報取得部、１２…受信部、１３…出力決定部、１４…出力部、１０１…ＣＰＵ、１０２…ＲＡＭ、１０３…ＲＯＭ、１０４…操作モジュール、１０５…無線通信モジュール、１０６…アンテナ、１０７…ディスプレイ、２０…配信システム、３０…ｘＧＳＮ、３１…配信情報取得部、４０…ＲＮＣ、４１…在圏数情報取得部、４２…送信部、３０１…ＣＰＵ、３０２…ＲＡＭ、３０３…ＲＯＭ、３０４…通信モジュール、３０５…補助記憶装置、５０…ＣＢＣ、６０…位置情報測位装置、７０…ＣＢＥ、Ｎ…移動体通信網。
【図１】
0006499890.tif 000002
【図２】
0006499890.tif 000003
【図３】
0006499890.tif 000004
【図４】
0006499890.tif 000005
【図５】
0006499890.tif 000006
【図６】
0006499890.tif 000007
【図７】
0006499890.tif 000008